(57)【特許請求の範囲】
【請求項１】
ドラムシェル（１２）と、フレッシュフープ（１４）と、カウンタフープ（１６）と、ドラム表面（２０）を有するドラムヘッド（１８）とを含むドラム（１０）と組み合わせるドラム張力付加装置（２２）であって、
張力を与えてドラム表面の張力を調節するウォーム駆動部（４０）を含み、
前記ドラム張力付加装置（２２）は、カウンタフープに対するフレッシュフープに向かってドラム表面にほぼ垂直であり、ドラムシェルに固定されてカウンタフープに接触しており、
前記ドラム張力付加装置は、ドラムシェルの周囲に配置された突出部のない概ね平らな複数のリボン様ベルト（３６）、及び前記ウォーム駆動部（４０）と組み合わせてドラム表面内の張力を調節する隔離された一連の平行スロット（３８）を含み、
前記突出部のない概ね平らな複数のリボン様ベルト（３６）が、平らに配置された２つ以上の重なり合う部分を含み、ドラムシェルの輪郭に概ね一致し、前記ベルトと位置合わせして配置されたウォーム駆動部（４０）と組み合わせると、突出した構成部品と接触せずにドラマーの手がドラム表面に接触できるようになるドラム張力付加装置。
【請求項２】
ドラムシェル（１２）と、フレッシュフープ（１４）と、カウンタフープ（１６）と、ドラム表面（２０）を有するドラムヘッド（１８）とを含むドラム（１０）と組み合わせるドラム張力付加装置（２２）であって、
張力を与えてドラム表面の張力を調節するウォーム駆動部（４０）を含み、
前記ドラム張力付加装置（２２）は、カウンタフープに対するフレッシュフープに向かってドラム表面にほぼ垂直であり、ドラムシェルに固定されてカウンタフープに接触しており、
前記ドラム張力付加装置は、ドラムシェルの周囲に配置された突出部のない概ね平らな複数のリボン様ベルト（３６）、及び前記ウォーム駆動部（４０）と組み合わせてドラム表面内の張力を調節する隔離された一連の平行スロット（３８）を含み、
前記突出部のない概ね平らな複数のリボン様ベルト（３６）が、平らに配置された２つ以上の重なり合う部分を含み、ドラムシェルの輪郭に概ね一致し、前記ベルトと位置合わせして配置されたウォーム駆動部（４０）と組み合わせると、ドラマーが突出した構成部品と接触せずにドラムシェルを前記ドラマーの身体に接して、または前記ドラマーの脚の間で支持できるようになるドラム張力付加装置。
【発明の詳細な説明】
【技術分野】
【０００１】
本発明は、一般に楽器の領域に関する。より詳細には、本発明は、ある種の音楽用ドラムと、演奏技術および楽器を演奏する楽しさにしばしば干渉する障害物および関連する不快感を効果的に排除する、ドラムヘッドに張力を付加するための装置とを対象とする。
【背景技術】
【０００２】
ドラムヘッドに張力を付加して調律するために使用される装置は、数多く、また多様である。その一部の形態には、調律ロッドに取り付けられ、ロッドが回転する方向に応じてドラムヘッドの張力を緩めまたは増大させる、カウンタフープを把持する鉤爪様（ｃｌａｗ  ｌｉｋｅ）の装置が含まれる。また同じ目的で、従来のラグと調律ロッドとの組合せも採用されている。他のタイプの調律機構は、これら２つの装置の変形形態である。それには、カウンタフープに取り付けられたＶ字形ブラケットと、ブラケットに係合するための鉤状端部を備えた調律ロッドとが含まれる。ロッドの他端は、ドラムシェルに固定されたラグを通して挿入される。これらの装置のいずれも、その構成部品の突出した、時には不恰好な特徴により「低プロファイル（ｌｏｗ  ｐｒｏｆｉｌｅ）」とみなされない。
【０００３】
前述および同様の装置を採用しているドラム、中でも、ジャンベ（Ｄｊｅｍｂｅ）、ボンゴ、およびダンベック（Ｄｏｕｍｂｅｋ）を含めたドラムは、通常、ドラムヘッドを打つのに手を（スティックまたはマレットの代わりに）用いて演奏されるドラムである。これらの場合、ドラムは、普通、身体の近くで保持され、場合によってはミュージシャンの脚の間で支持されまたは抱えられる。手で楽器を打つときに手に突き出してくる、あるいは楽器を保持／支持するときに脚に突き出してくる張力付加機構の構成部品は、演奏技術を制約するだけでなく、プロセス中の不快感を引き起こし、ミュージシャンに何らかの激しい痛みを引き起こす可能性がある。
【０００４】
したがって、当該技術分野では、構成部品と取付け器具とを使用し、これを組み合わせて、効果的に、便利に、かつ容易にヘッドに張力を付加でき、同時に楽器の演奏、特にミュージシャンの演奏技術に干渉せず、あるいはそれを制約しない、ドラムヘッドのための張力付加装置を提供することが必要とされている。
【発明の開示】
【発明が解決しようとする課題】
【０００５】
本発明は、突き出ている厄介な設計の構成部品をなくし、それに随伴した、楽器を演奏する楽しさと、特にミュージシャンの演奏技術とに干渉するミュージシャンの身体的不快感を防ぐ、ドラムヘッドに張力を付加するための装置を提供する。本発明には、ドラムシェルと、フレッシュフープと、カウンタフープと、ドラム表面を有するドラムヘッドとを備えるドラムが含まれる。ドラムには、フレッシュフープに向かってカウンタフープに、ドラム表面にほぼ垂直な張力を加えてドラム表面の張力を増加させる従来型の機械式ウォーム駆動（ｗｏｒｍ−ｄｒｉｖｅ）機構を備えた張力付加装置が取り付けられている。張力付加装置の一端は、ドラムシェルにしっかりと貼り付けられている。装置の他端は、カウンタフープにきつく取り付けられている。また、張力付加装置は、シェルの周囲に低プロファイル式に配置された概ね平らな２つ以上のリボン様ベルトも含む。ウォーム駆動部内の構成部品に係合してドラム表面内の張力を調節できるように、少なくとも１つのベルトの一部に沿って、離隔された一連の平行スロットが配置されている。ウォーム駆動ネジまたはロッド構成部品を回転させると、ベルトが締め付けられ、これら２つが必然的にカウンタフープをそれらの方向に引っ張る。この結果、カウンタフープがフレッシュフープを背にして引っ張られ、次にはドラム表面が引っ張られて、ヘッドの張力が増加する。
【課題を解決するための手段】
【０００６】
したがって、本発明の目的は、ドラムを近くで保持して演奏するときのミュージシャンの手および脚の痛みならびに身体的不快感をなくすのに役立つ構成部品を含む、ドラムヘッドに張力を付加するための装置を提供することである。
【０００７】
本発明の他の目的は、ミュージシャンの演奏技術に干渉しない、ドラムヘッドに張力を付加するための装置を提供することである。
本発明の他の目的は、張力付加プロセスを容易にする、ドラムヘッドに張力を付加するための装置を提供することである。
【０００８】
本発明の他の目的は、ドラムヘッドの通常の張力よりも高い張力を与えることのできる、ドラムヘッドに張力を付加するための装置を提供することである。
本発明の他の目的は、ドラムシェルの構成に概ね従う小型で平らな直列プロファイル（ｉｎ−ｌｉｎｅ  ｐｒｏｆｉｌｅ）を装置に与えてそれを維持する、ドラムヘッドに張力を付加するための装置を提供することである。
【０００９】
本発明の他の目的は、優れた強度対重量比を有する、ドラムヘッドに張力を付加するための装置を提供することである。
本発明の他の目的は、比較的軽量な、ドラムヘッドに張力を付加するための装置を提供することである。
【００１０】
本発明の他の目的は、ミュージシャンの身体の一部分に突き出して演奏の邪魔になることのある、スレッドネジ、ロッド、またはフックを使用しない、ドラムヘッドに張力を付加するための装置を提供することである。
【００１１】
本発明の他の目的は、ミュージシャンの操作／調節が容易な、ドラムヘッドに張力を付加するための装置を提供することである。
本発明の他の目的は、製造が容易で費用効果の高い、ドラムヘッドに張力を付加するための装置を提供することである。
【００１２】
本発明の他の目的および利点は、本発明の好ましい実施形態を示す添付の図面に照らして以下の詳述を検討すれば明らかになろう。
【発明を実施するための最良の形態】
【００１３】
図１に示す本発明の好ましい実施形態は、ドラムシェル１２と、フレッシュフープ１４と、カウンタフープ１６と、ドラム表面２０を有するドラムヘッド１８とを含む、ドラム１０を提供する。また、張力を与えてドラム表面２０の張力を調節するウォーム駆動部４０を有する張力付加装置２２が設けられている。張力付加装置２２は、一方の端部２６をカウンタフープ１６上の位置２８に取り付け、他方の端部３０をドラムシェル１２上の位置３２に取り付けることによってドラム１０に貼り付けられている。個々の張力付加装置２２は、ドラムヘッド１８の均等かつバランスの取れた張力付加を保証するために、ドラムシェル１２の周囲に互いに概ね等間隔に設置され貼り付けられている。
【００１４】
張力付加装置２２は、様々な構成部品で構成されており、それには、リボン様ベルト３４と、複数の横向きスロット付き開口部３８を有する比較的短いリボン様ベルト３６と、２つのベルトを連結するための、リボン様ベルト３６の端部に画定されたＴ字形結合部材３５と、リボン様ベルト３４に沿って概ね等間隔に平行な関係でリボン様ベルト３４内に画定された複数の対合開口部３７とが含まれる。また、従来型のウォーム駆動装置４０も加えて、ベルト３４および３６を固定している。ウォーム駆動部４０には、回転ネジ４２が含まれており、これを一方向に回転させてベルト３６をウォーム駆動部４０に向かって引き寄せて、ドラムヘッド１８に張力を付加することができる。ネジ４２を反対方向に回転させると、ウォーム駆動部４０とベルト３６の間の連結が緩み、ドラムヘッド１８内の張力が減少する。ネジ４２を回転させるために、従来型のネジ回しまたはレンチ（図示せず）を採用することができる。
【００１５】
通常、張力付加装置２２は、いずれかの適切なネジ、ボルト、またはリベット４６を含めたいずれかの適した手段によって、各端部でドラム１０に連結されている。普通は金属（例えば鋼鉄）製のカウンタフープ１６は、張力付加装置２２を取り付けて固定する、確固たるアンカーを提供する。また、他の同様の強い材料を使用することもできる。
【００１６】
張力付加装置２２は、ドラムヘッドに加わる約２，３００ｋｇ（約５，０００ポンド）の張力に耐えることのできる、軽量で強く弾力性のある合金またはいずれかの適した合成材料で構成される。ウォーム駆動装置４０、ならびにベルト３４および／または３６の美的外観を向上させ、突出した部分または露出した縁部に起因した何らかの痛みまたは不快感の可能性からドラマーを保護するために、これらの構成部品を包み込むためのゴムまたは合成材料製のカバーが設けられている。具体的には、ウォーム駆動装置４０を包み込むための保護カバー５０と、ベルト３６を包み込むための保護カバー５２とが設けられている。
【００１７】
本発明の装置は、ジャンベなど、手４４で演奏され、かつ／またはドラマーの脚４６の間に挟まれるドラムと併せて使用するときに特に有利である。カウンタフープに隣接する突出したネジまたはロッドを採用する従来型の調律器械の代わりに本発明の装置を使用すると、突出した金属物体との恒常的な接触が原因でドラマーの手が負傷するのを避けるのに役立つ。さらに、本発明の平たい低プロファイルの設計および構造によって、ドラマー４８が楽器を脚の間に挟んで支持するのがより容易で快適になる。ヘッドに張力を付加するほどさらに突き出る傾向にある張力付加ロッド（図示せず）を含めた従来型の張力付加器械とは異なり、本発明の装置は、全体に小型の直列プロファイルを維持する。
【００１８】
本発明について特定の好ましい実施形態に関して説明するが、本発明をその特定の実施形態に制限するものではないことを理解すべきである。むしろ、すべての代替形態、修正形態、および同等物を、特許請求の範囲で定義される本発明の精神および範囲内に含めるものとする。
【図面の簡単な説明】
【００１９】
【図１】ジャンベに取り付けた状態で示す本発明の装置の斜視図である。
【図２】ドラムの一部に連結した状態でフレッシュフープの一部を透視して示す、本発明の装置の拡大斜視図である。
【図３】ドラマーの脚の間で保持／演奏されるドラムヘッドに取り付けた状態で示す、本発明の装置の斜視図である。
【図４】取り外した状態で示す、本発明による装置のリボン様ベルトの拡大斜視図である。
【図５】取り付けた状態で示す、本発明による装置のリボン様ベルトの拡大斜視図である。
【図１】
0003721183.tif 000002
【図２】
0003721183.tif 000003
【図３】
0003721183.tif 000004
【図４】
0003721183.tif 000005
【図５】
0003721183.tif 000006